(57)【要約】【課題】光ディスクの位相変調ウォブルトラックを高精度に検査する。【解決手段】光ディスクのラジアルプッシュプル信号（ウォブル信号）はローパスフィルタ２０２で位相境界部が円滑化された後、二値化器２０３で二値化され、タイムインターバルアナライザ２０４に供給される。タイムインターバルアナライザ２０４は二値化ウォブル信号の周期を解析し、その２つのピーク値Ｔ１，Ｔ２を抽出する。演算器２０５は、２つの周期Ｔ１、Ｔ２の差分値及びそれぞれのピークの標準偏差を演算し、それぞれしきい値と比較してＣＮＲ及び位相ずれを同時に評価する。【選択図】図１
2006127639.tif 000002
【特許請求の範囲】
【請求項１】
２相で位相変調された周波数に応じてウォブルされたウォブルトラックを有する光ディスクの検査装置であって、
前記ウォブルトラックに対応するウォブル信号を二値化する二値化器と、
二値化ウォブル信号に含まれる周期を解析するタイムインターバルアナライザと、
前記タイムインターバルアナライザで得られた解析結果から第１のピーク周期Ｔ１及び第２のピーク周期Ｔ２（Ｔ１＜Ｔ２）を抽出し、前記第１のピーク周期Ｔ１の２倍と前記第２のピーク周期Ｔ２との差分値を演算するとともに、前記第１のピーク周期Ｔ１及び前記第２のピーク周期Ｔ２のピーク幅を演算する演算器と、
前記差分値及びピーク幅に応じて前記ウォブルトラックの品質を評価する評価器と、
を有することを特徴とする光ディスク検査装置。
【請求項２】
請求項１記載の装置において、さらに、
前記ウォブル信号の位相境界部における高周波成分を除去して前記二値化器に出力するローパスフィルタと、
を有することを特徴とする光ディスク検査装置。
【請求項３】
請求項１記載の装置において、
前記演算器は、評価パラメータＥ＝（２Ｔ１−Ｔ２）／２Ｔ１を演算するとともに前記ピーク幅として前記第１のピーク周期及び第２のピーク周期の分布を正規分布とみなしたときの標準偏差を算出し、
前記評価器は、前記評価パラメータＥ及び標準偏差をそれぞれ所定のしきい値と大小比較することで評価する
ことを特徴とする光ディスク検査装置。
【請求項４】
互いに１８０度異なる２つの位相で位相変調された周波数に応じてウォブルされたウォブルトラックを有する光ディスクの検査方法であって、
前記ウォブルトラックに光ビームを照射し、その反射光から前記ウォブルトラックに対応するウォブル信号を再生するステップと、
再生されたウォブル信号のうち、前記位相変調の境界部に存在する高周波成分をローパスフィルタで除去するステップと、
ローパスフィルタを通過したウォブル信号を二値化するステップと、
二値化ウォブル信号に含まれる周期をタイムインターバルアナライザで解析するステップと、
前記タイムインターバルアナライザで得られた解析結果から２つのピーク周期を抽出し、前記２つのピーク周期の所定の関係からのずれ量及び前記２つのピーク周期のピーク幅を算出するステップと、
前記ずれ量を第１しきい値と比較することで前記ウォブルトラックの位相のずれを評価するとともに、前記ピーク幅を第２しきい値と比較することで前記ウォブル信号のＣＮＲを評価するステップと、
を有することを特徴とする光ディスクの検査方法。
【請求項５】
互いに１８０度異なる２つの位相で位相変調された周波数に応じてウォブルされたウォブルトラックを有する光ディスクを検査するコンピュータプログラムであって、該プログラムはコンピュータに対し、
前記ウォブルトラックに対応するウォブル信号を二値化した二値化ウォブル信号が入力されたときに、前記二値化ウォブル信号に含まれる各周期の個数をカウンタで計数しその値をメモリに記憶することで解析するステップと、
解析の結果から頻度の高い２つのピーク周期を抽出し、前記２つのピーク周期の所定の関係からのずれ量及び前記２つのピーク周期のピーク幅をプロセッサにより演算するステップと、
前記ずれ量をメモリに記憶された第１しきい値と比較し、かつ、前記ピーク幅をメモリに記憶された第２しきい値と比較することで前記光ディスクが正常か否かをプロセッサで判定するステップと、
判定結果を表示装置に表示するステップ
を実行させることを特徴とする光ディスク検査用コンピュータプログラム。
【請求項６】
互いに１８０度異なる２つの位相で位相変調された周波数に応じてウォブルされたウォブルトラックを有する光ディスクであって、
再生されたウォブル信号を二値化した二値化ウォブル信号に含まれる第１のピーク周期Ｔ１及び第２のピーク周期Ｔ２（Ｔ１＜Ｔ２）から（２Ｔ１−Ｔ２）／２Ｔ１×３６０°の演算式により求められる位相ずれ量Ｅ、あるいは、前記第１のピーク周期Ｔ１又は前記第２のピーク周期の分布を正規分布とみなしたときの標準偏差から求められるジッタＪが、それぞれ−１０°≦Ｅ≦１０、Ｊ≦１５％のうち少なくとも一方を満たすように、前記ウォブルトラックが形成されていることを特徴とする光ディスク。
【請求項７】
互いに１８０度異なる２つの位相で位相変調された周波数に応じてウォブルされたウォブルトラックを有する光ディスクであって、
前記ウォブルトラックの位相境界部の形状が滑らかになるように形成されていることを特徴とする光ディスク。
【請求項８】
互いに１８０度異なる２つの位相で位相変調された周波数に応じてウォブルされたウォブルトラックを有する光ディスクであって、
前記ウォブルトラックの位相境界部の形状が滑らかになるように形成され、再生されたウォブル信号を二値化した二値化ウォブル信号に含まれる第１のピーク周期Ｔ１及び第２のピーク周期Ｔ２（Ｔ１＜Ｔ２）から（２Ｔ１−Ｔ２）／２Ｔ１×３６０°の演算式により求められる位相ずれ量Ｅが−１０°≦Ｅ≦１０を満たし、かつ、前記第１のピーク周期Ｔ１又は前記第２のピーク周期の分布を正規分布とみなしたときの標準偏差から求められるジッタＪがＪ≦１５％を満たすように前記ウォブルトラックが形成されていることを特徴とする光ディスク。
【発明の詳細な説明】
【技術分野】
【０００１】
本発明は、位相変調されたウォブルトラックを有する光ディスクの検査技術に関する。
【背景技術】
【０００２】
従来より、位相変調された周波数に応じてウォブルされたウォブルトラックを有する光ディスク、例えばＤＶＤ＋ＲやＤＶＤ＋ＲＷにおいて、当該ウォブルトラックが正常に形成されているか否かを検査する技術が提案されている。
【０００３】
下記に示す特許文献には、ウォブルトラックに光ビームを照射し、その反射光から得られるウォブル信号を２逓倍し、この２逓倍信号の周波数特性に基づいてウォブルトラックの品質を評価することが開示されている。
【０００４】
図７には、この特許文献に記載された評価装置の構成ブロック図が示されている。ＰＵＨ４０は、光ディスクＤ１のウォブルトラックに対して光ビームを照射する。ＰＤ５０は、ウォブルトラックからの反射光を検出する。ＰＤ５０で検出された信号から生成されるラジアルプッシュプル信号、すなわちウォブル信号が周波数特性測定部１００に入力される。
【０００５】
図８には、図７における周波数特性測定部１００の構成ブロック図が示されている。低ノイズ除去／増幅器１０１は、ウォブル信号に含まれる直流成分を取り除き、適切にウォブル信号を増幅する。バンドパスフィルタ１０２は、供給されるウォブル信号に含まれる余分な周波数成分を除去する。余分な周波数成分とは、キャリア周波数から十分離れた周波数成分である。乗算回路１０３は、供給されたウォブル信号を乗算（逓倍）し、２逓倍ウォブル信号を生成する。周波数特性測定回路１０４は、２逓倍ＮＢＳＮＲ（ＣＮＲ）を測定し、２逓倍ウォブル信号を評価した結果が所定の評価指標を満たすか否かを判定する。２逓倍ウォブル信号の周波数特性から得られるピークレベルとノイズレベルとの差（２逓倍ＮＢＳＮＲあるいはＣＮＲ）が１７ｄＢ以上であればウォブルトラックの品質に問題なしと判定される。
【０００６】
【特許文献１】特開２００４−２８０８７８号公報
【発明の開示】
【発明が解決しようとする課題】
【０００７】
このように、２逓倍ウォブル信号の周波数特性を評価することでウォブルトラックの品質を評価することが可能であるが、位相変調されたウォブルトラックではＮＢＳＮＲ（あるいはＣＮＲ：以下、ＣＮＲという）の他に、各位相が正確に１８０度ずれているか否かを評価することも必要であり、スペクトラムアナライザを用いた２逓倍ウォブル信号のＣＮＲの測定のみでは位相ずれを評価することは困難である。
【０００８】
本発明の目的は、位相変調されたウォブルトラックの周波数特性（ＣＮＲ）のみならず、その位相特性（位相ずれ）をも同時に評価でき、もってウォブルトラックの品質をより高精度に評価することができる方法及び装置並びに光ディスクを提供することにある。
【課題を解決するための手段】
【０００９】
本発明は、２相で位相変調された周波数に応じてウォブルされたウォブルトラックを有する光ディスクの検査装置であって、前記ウォブルトラックに対応するウォブル信号を二値化する二値化器と、二値化ウォブル信号に含まれる周期を解析するタイムインターバルアナライザと、前記タイムインターバルアナライザで得られた解析結果から第１のピーク周期Ｔ１及び第２のピーク周期Ｔ２（Ｔ１＜Ｔ２）を抽出し、前記第１のピーク周期Ｔ１の２倍と前記第２のピーク周期Ｔ２との差分値を演算するとともに、前記第１のピーク周期Ｔ１及び前記第２のピーク周期Ｔ２のピーク幅を演算する演算器と、前記差分及びピーク幅に応じて前記ウォブルトラックの品質を評価する評価器とを有する。
【００１０】
本発明において、前記差分値は２相で位相変調されたウォブル信号の位相ずれ（２相の位相が互いに１８０°ずれている場合には、１８０°からのずれ）量を示し、ピーク幅はＣＮＲを示す。本発明では、これらを評価することで、ＣＮＲのみならず位相ずれをも同時に評価してウォブルトラックの品質を検査する。
【００１１】
本発明の１つの実施形態では、前記演算器は、評価パラメータＥ＝（２Ｔ１−Ｔ２）／２Ｔ１を演算するとともに前記ピーク幅として前記第１のピーク周期及び第２のピーク周期の分布を正規分布とみなしたときの標準偏差を算出し、前記評価器は、前記評価パラメータＥ及び標準偏差をそれぞれ所定のしきい値と大小比較することで評価する。
【００１２】
また、本発明は、互いに１８０度異なる２つの位相で位相変調された周波数に応じてウォブルされたウォブルトラックを有する光ディスクの検査方法であって、前記ウォブルトラックに光ビームを照射し、その反射光から前記ウォブルトラックに対応するウォブル信号を再生するステップと、再生されたウォブル信号のうち、前記位相変調の境界部に存在する高周波成分をローパスフィルタで除去するステップと、ローパスフィルタを通過したウォブル信号を二値化するステップと、二値化ウォブル信号に含まれる周期をタイムインターバルアナライザで解析するステップと、前記タイムインターバルアナライザで得られた解析結果から２つのピーク周期を抽出し、前記２つのピーク周期の所定の関係からのずれ量及び前記２つのピーク周期のピーク幅を算出するステップと、前記ずれ量を第１しきい値と比較することで前記ウォブルトラックの位相のずれを評価するとともに、前記ピーク幅を第２しきい値と比較することで前記ウォブル信号のＣＮＲを評価するステップとを有する。
【００１３】
また、本発明は、互いに１８０度異なる２つの位相で位相変調された周波数に応じてウォブルされたウォブルトラックを有する光ディスクを検査するコンピュータプログラムであって、該プログラムはコンピュータに対し、前記ウォブルトラックに対応するウォブル信号を二値化した二値化ウォブル信号が入力されたときに、前記二値化ウォブル信号に含まれる各周期の個数をカウンタで計数しその値をメモリに記憶することで解析するステップと、解析の結果から頻度の高い２つのピーク周期を抽出し、前記２つのピーク周期の所定の関係からのずれ量及び前記２つのピーク周期のピーク幅をプロセッサにより演算するステップと、前記ずれ量をメモリに記憶された第１しきい値と比較し、かつ、前記ピーク幅をメモリに記憶された第２しきい値と比較することで前記光ディスクが正常か否かをプロセッサで判定するステップと、判定結果を表示装置に表示するステップを実行させることを特徴とする。
【００１４】
また、本発明は、互いに１８０度異なる２つの位相で位相変調された周波数に応じてウォブルされたウォブルトラックを有する光ディスクであって、再生されたウォブル信号を二値化した二値化ウォブル信号に含まれる第１のピーク周期Ｔ１及び第２のピーク周期Ｔ２（Ｔ１＜Ｔ２）から（２Ｔ１−Ｔ２）／２Ｔ１×３６０°の演算式により求められる位相ずれ量Ｅ、あるいは、前記第１のピーク周期Ｔ１又は前記第２のピーク周期の分布を正規分布とみなしたときの標準偏差から求められるジッタＪが、それぞれ−１０°≦Ｅ≦１０、Ｊ≦１５％のうち少なくとも一方を満たすように、前記ウォブルトラックが形成されていることを特徴とする。
【００１５】
さらに、本発明は、互いに１８０度異なる２つの位相で位相変調された周波数に応じてウォブルされたウォブルトラックを有する光ディスクであって、前記ウォブルトラックの位相境界部の形状が滑らかになるように形成されていることを特徴とする。
【発明の効果】
【００１６】
本発明によれば、光ディスクに形成されたウォブルトラックの品質、より具体的にはＣＮＲ及び位相ずれを同時に評価することができ、ウォブルトラックの正常／異常を高精度に検査できる。さらに、本発明によれば、高精度にウォブルトラックが形成された光ディスクを提供でき、高品質のデータ記録あるいは再生が可能となる。
【発明を実施するための最良の形態】
【００１７】
以下、図面に基づき本発明の実施形態について説明する。
【００１８】
本実施形態の光ディスク検査装置の全体構成は図７に示される従来の装置と略同様であり、ＤＶＤ＋ＲやＤＶＤ＋ＲＷ等、２相位相変調されたウォブルトラックを有する光ディスクＤ１にレーザ光を照射し、その反射光をＰＤ５０で受光して電気信号に変換し、プリアンプ６０で増幅した後に、ラジアルプッシュプル信号をウォブル信号として抽出する。図７においてはウォブル信号は周波数特性測定部１００に供給されるが、本実施形態では特性測定部２００に供給される。
【００１９】
図１には、特性測定部２００の構成ブロック図が示されている。低ノイズ除去／増幅器２０１は、ウォブル信号に含まれる直流成分を取り除き、適切にウォブル信号を増幅してローパスフィルタ２０２に出力する。
【００２０】
ローパスフィルタ２０２は、２相位相変調の境界部分で二値信号の反転が生じないように、ウォブル信号の基本周波数の２倍を上限とするローパスフィルタであり、２相位相変調のウォブル信号の位相境界部の急峻部を円滑化する。境界部が円滑化されたウォブル信号は、二値化器２０３に供給される。
【００２１】
二値化器２０３は、ローパスフィルタ２０２からのウォブル信号を所定の二値化しきい値を用いて二値化し、二値化ウォブル信号としてタイムインターバルアナライザ２０４に出力する。二値化しきい値は、ウォブル信号の略振幅中心に設定される。
【００２２】
タイムインターバルアナライザ２０４は、カウンタ及びメモリを備えており、二値化ウォブル信号の周期毎にその頻度（発生回数）をカウントして順次メモリに記憶していき、二値化ウォブル信号の周期あるいは時間幅を解析する。二値化ウォブル信号の周期には、ウォブル信号の基本周期の半分の周期、及び位相変調の境界部に相当する周期が含まれているから、タイムインターバルアナライザによる解析結果には、２つのピーク周期（すなわち、発生回数が極大となる２つの周期）が存在することになる。２つのピーク周期に関するデータ、具体的には、それぞれの周期値データ及びその時間幅データが測定され、演算器２０５に供給される。
【００２３】
演算器２０５は、タイムインターバルアナライザ２０４の解析結果に基づき、ウォブルトラックを評価するための評価パラメータを演算する。すなわち、２つのピーク周期をそれぞれＴ１、Ｔ２（Ｔ１＜Ｔ２）とした場合に、
Ｅ＝（２Ｔ１−Ｔ２）／２Ｔ１×３６０（°）
を演算する。Ｔ１は理論的にはウォブル信号の基本周期の半分に一致し、Ｔ２はウォブル信号の基本周期に一致するから、本来であれば２Ｔ１＝Ｔ２となるはずである。ところが、２相の位相が正確に１８０°だけずれていない場合、２Ｔ１とＴ２は一致せず、位相ずれに応じた量だけ異なることになる。したがって、上記のＥは位相ずれ（位相誤差角）を示すパラメータとなる。
【００２４】
また、演算器２０５は、タイムインターバルアナライザ２０４からの時間幅データから、ピーク周期Ｔ１、Ｔ２それぞれの標準偏差値を演算する。具体的には、ピーク周期Ｔ１、Ｔ２における分布を正規分布（ガウス関数）とした場合のそれぞれの標準偏差σ１、σ２を演算する。標準偏差σ１、σ２は、ピーク周期Ｔ１、Ｔ２における周期の拡がりを表し、信号の雑音特性を表している。したがって、標準偏差σ１、σ２の大小は、従来におけるＣＮＲの大小に対応し、標準偏差σが小さいほどＣＮＲは大きいことを示す。
【００２５】
演算器２０５は、これらの評価パラメータＥ、σ１、σ２を演算した後にそれぞれ所定のしきい値と大小比較し、位相ずれ及びＣＮＲが所望の値であるか否かを判定する。
【００２６】
図２には、低ノイズ除去／増幅器２０１からローパスフィルタ２０２に供給されるウォブル信号３００の波形が示されている。２相をそれぞれ０相、π相とすると、０相、π相、０相、・・と位相変調された信号波形である。
【００２７】
図３には、ローパスフィルタ２０２で位相境界部が円滑化されて二値化器２０３に供給されるウォブル信号４００の波形が示されている。図において、破線は円滑化前の信号波形であり、実線は円滑化後の信号波形である。ここで、光ディスクに形成されたウォブルトラックの位相境界部の形状を滑らかにしてもよい。こうすれば、ローパスフィルタを介することなく図３に示されるような位相境界部が円滑化されたウォブル信号波形を得ることができ、ウォブルトラックの品質評価が容易となる。
【００２８】
図４には、二値化器２０３で二値化されタイムインターバルアナライザ２０４に供給される二値化ウォブル信号５００の波形が示されている。図３に示されるように、位相境界部において円滑化されているため、ウォブル信号の略振幅中心のしきい値で二値化しても、位相境界部において二値信号は反転せず、基本周期と同一周期Ｔ２の二値信号が得られる。一方、位相境界部分以外は基本周期の半分の周期Ｔ１が得られる。
【００２９】
図５には、タイムインターバルアナライザ２０４での解析結果が示されている。図中、横軸は時間（周期）、縦軸はそれぞれの周期の発生回数（頻度）である。上記のとおり、二値化ウォブル信号には周期Ｔ１と周期Ｔ２の信号が含まれているから、これらの周期に相当する位置に２つのピークが存在する。タイムインターバルアナライザ２０４は、ピークの周期Ｔ１、Ｔ２及びこれらの時間幅を測定して演算器２０５に出力するのである。
【００３０】
図６には、本実施形態の全体処理フローチャートが示されている。まず、光ディスクＤ１を装着し、ＰＵＨ４０からレーザ光を照射し、その反射光をＰＤ５０で受光し、ラジアルプッシュプル信号としてウォブル信号を再生する（Ｓ１０１）。ウォブル信号は、低ノイズ除去／増幅器２０１、ローパスフィルタ２０２、二値化器２０３を介して二値化された後にタイムインターバルアナライザ２０４に供給され解析される（Ｓ１０２）。タイムインターバルアナライザ２０４における解析とは、２つのピーク周期Ｔ１、Ｔ２を測定するとともに、その時間幅を測定することを意味する。次に、演算器２０５にて解析結果に基づいて評価パラメータ（評価値）Ｅ及びそれぞれの標準偏差σ１、σ２を演算する（Ｓ１０３）。
【００３１】
評価パラメータＥ及び標準偏差σ１、σ２を演算した後、演算器２０５はこれらの値を予め設定されそのメモリに記憶されているしきい値と大小比較する。すなわち、標準偏差σ１、σ２をしきい値σ０と比較して、しきい値σ０より小さいか否かを判定する（Ｓ１０４）。このσ０は、ウォブルトラックを再生するために必要なＣＮＲに応じて設定される。一般に、位相変調されたウォブルトラックからアドレス情報を復調するためには、復調誤り率１．０×１０-3以下が必要であるから、これに応じてしきい値σ０を設定すればよい。ここで、標準偏差σを二値化ウォブル信号の周期Ｔで正規化することによりジッタを求めることができる。例えば、σ＝６１．６ｎｓｅｃ、Ｔ＝６１６ｎｓｅｃのとき、ジッタ＝σ／Ｔ×１００＝６１．６／６１６×１００＝１０（％）となる。図９には、ジッタとＡＤＩＰ（Ａｄｒｅｓｓ  ｉｎ  Ｐｒｅｇｒｏｏｖｅ）エラーレートとの関係が示されている。図において、横軸はウォブル（ＷＢＬ）信号のジッタ、縦軸はエラーレートである。上記のとおり、復調誤り率１．０×１０-3以下が望ましいから、図９より復調誤り率１．０×１０-3以下となるしきいジッタを求め、このしきいジッタからさらに標準偏差のしきい値σ０を設定すればよい。具体的には、図９によればジッタが１５％を超えたところで急激にエラーレートが悪化していることから、少なくともジッタが１５％以下となるようにしきい値σ０を設定すれば復調誤り率を十分低減でき、一般に位相変調されたウォブルトラックからアドレス情報を復調するためには復調誤り率１．０×１０-3以下が望ましいと考えられることから、図９よりジッタが１２％以下となるようにしきい値σ０を設定することがより好適である。
【００３２】
判定の結果、σ≧σ０である場合、すなわち、σ１、σ２の少なくともいずれかがしきい値σ０以上である場合には、十分なＣＮＲが得られないと判定し、演算器２０５はこの光ディスクＤ１のウォブルトラックの品質は不良であって異常と判定する（Ｓ１０７）。一方、判定の結果、σ＜σ０である場合、すなわちσ１、σ２ともしきい値σ０より小さい場合には、十分なＣＮＲが得られると判定し、さらに評価パラメータＥを所定のしきい値Ｅ０と比較する（Ｓ１０５）。しきい値Ｅ０は、ウォブルトラックにおいて許容され得る位相ずれ量に応じて設定される。位相変調において位相ずれが９０°になると位相変化点を検出することができずウォブルトラックからアドレス情報を正しく復調することができなくなる。したがって、位相ずれの許容値として９０°より小さな値にする必要がある。しかしながら、この範囲内で許容値をあまり大きくとると位相変化点は検出できてもジッタが悪化するため、少なくとも上記のようなジッタになる程度まで許容値を小さくする必要がある。また、本来であれば位相ずれ量は０°であることが望ましいが、光ディスクの製造誤差を考慮してある程度の許容値を設定する必要がある。一般に、許容値はマージンに対して１０％程度に設定される。これらを考慮して、しきい値Ｅ０は１０°程度に設定する。判定の結果、｜Ｅ｜≧Ｅ０である場合、すなわち位相ずれ量がしきい値以上である場合には、位相ずれ量が許容値以上に大きいことを意味するから光ディスクＤ１のウォブルトラックの品質は不良であって異常と判定する（Ｓ１０７）。一方、判定の結果、｜Ｅ｜＜Ｅ０である場合には、位相ずれ量も許容範囲内であると判定し、光ディスクＤ１のウォブルトラックは正常に形成されていると判定する（Ｓ１０６）。判定結果は、例えば特性測定部２００に接続されたディスプレイに表示される。
【００３３】
このように、本実施形態では、タイムインターバルアナライザ２０５を用いて二値化ウォブル信号を時間解析し、この解析結果を用いて評価パラメータＥ及び標準偏差σを演算してこれを評価することで、光ディスクＤ１に形成されたウォブルトラックのＣＮＲ及び位相ずれをともに評価することができる。したがって、スペクトラムアナライザを用いてウォブル信号のＣＮＲを評価する従来の評価装置以上に高精度な評価が可能となり、評価の結果、正常と判定された光ディスクは、従来以上にアドレス情報を確実に取得してデータの再生あるいはデータの記録を実行することができる光ディスクとなる。特に、ウォブルトラックが高精度に形成され、その位相境界部の形状が円滑化された光ディスクは、評価パラメータＥ及びσがともに条件を満たすことから、データの記録及び再生に適した光ディスクといえる。
【００３４】
なお、本実施形態において、特性測定部２００の全体あるいはその一部をコンピュータで構成することが可能であり、当該コンピュータに処理プログラムをインストールし、コンピュータのプロセッサが処理プログラムを順次実行することで図６に示された処理を実現できる。例えば、タイムインターバルアナライザ２０４及び演算器２０５をコンピュータで構成し、当該コンピュータの入力端子に二値化器２０３から二値化ウォブル信号を供給する。コンピュータのプロセッサは、処理プログラムに基づいて入力された二値化ウォブル信号の周期をカウントし、各周期毎のカウント値をメモリに順次記憶していく。光ディスクＤ１の複数トラック分についてカウントした後、２つのピーク周期Ｔ１、Ｔ２を抽出して評価パラメータＥを演算し、その結果をメモリに格納する。また、２つのピーク周期の分布を正規分布とみなしてその標準偏差σ１、σ２を演算し、その結果をメモリに格納する。一方、メモリには予め標準偏差のしきい値σ０及び評価パラメータのしきい値Ｅ０が格納されており、プロセッサは、演算して得られた標準偏差σ１、σ２をしきい値σ０と大小比較するとともに評価パラメータＥをしきい値Ｅ０と大小比較する。標準偏差あるいは評価パラメータのいずれかがしきい値以上であれば光ディスクＤ１のウォブルトラックは異常と判定し、標準偏差及び評価パラメータのいずれもしきい値より小さければウォブルトラックは正常と判定する。プロセッサは、判定結果をコンピュータのディスプレイに表示する。「正常」、「異常」のみならず、標準偏差、評価パラメータの演算値自体をしきい値とともに表示してもよい。標準偏差はしきい値より小さいが評価パラメータがしきい値以上であれば、ＣＮＲは正常であるが位相ずれ量は異常である旨を表示してもよい。処理プログラムはＣＤ−ＲＯＭやＤＶＤ−ＲＯＭ等の可搬媒体に記憶し、当該媒体からコンピュータにインストールしてもよく、コンピュータがネットワークに接続されていればネットワークを介してホストコンピュータから供給しインストールしてもよい。
【００３５】
また、本実施形態では、評価パラメータＥとして
Ｅ＝（２Ｔ１−Ｔ２）／２Ｔ１×３６０（°）
を用いているが、２Ｔ１とＴ２の差分を評価する量であれば任意のパラメータを用いることができる。例えば、Ｅ１＝｜２Ｔ１−Ｔ２｜やＥ２＝Ｔ１−Ｔ２／２を用いることもでき、あるいはＥ３＝Ｔ１−Ｔ２で間接的に２Ｔ１とＴ２の差分を評価してもよい。
【００３６】
また、本実施形態では、ＣＮＲを評価するパラメータとして標準偏差を用いているが、分散を用いてもよい。分散を用いた場合には、分散に応じたしきい値を設定する。
【００３７】
また、本実施形態では、２つのピーク周期Ｔ１、Ｔ２のそれぞれの標準偏差σ１、σ２をしきい値σ０と大小比較しているが、σ１のみ、あるいはσ２のみを演算してしきい値σ０と大小比較してもよい。また、しきい値σ０をσ１とσ２で異なる値としてもよい。さらに、本実施形態では、標準偏差σをしきい値σ０と大小比較しているが、標準偏差から求められたジッタをジッタしきい値と比較するようにしてもよい。評価パラメータＥ及びジッタＪを用いて光ディスクを評価する場合、上記のとおり、−１０°≦Ｅ≦１０を満たし、かつ、Ｊ≦１５％を満たすものが正常な光ディスクとして判定される。本実施形態における正常な光ディスクを例示すると、ウォブルトラックの位相境界部の形状が滑らかになるように形成され、かつ、そのウォブルトラックが−１０°≦Ｅ≦１０、及びＪ≦１５％を満たす光ディスクである。
【図面の簡単な説明】
【００３８】
【図１】実施形態に係る特性測定部の構成ブロック図である。
【図２】２相変調ウォブル信号の波形説明図である。
【図３】ローパスフィルタ通過後のウォブル信号の波形説明図である。
【図４】二値化後のウォブル信号の波形説明図である。
【図５】タイムインターバルアナライザの解析結果説明図である。
【図６】実施形態の処理フローチャートである。
【図７】従来装置の全体構成図である。
【図８】図７における周波数特性測定部の構成ブロック図である。
【図９】ウォブル信号のジッタとエラーレートとの関係を示すグラフ図である。
【符号の説明】
【００３９】
Ｄ１  光ディスク、４０  ＰＵＨ（アクチュエータ）、５０  ＰＤ（フォトディテクタ）、１００  周波数特性測定部、２００  特性測定部。
【図１】
2006127639.tif 000003
【図２】
2006127639.tif 000004
【図３】
2006127639.tif 000005
【図４】
2006127639.tif 000006
【図５】
2006127639.tif 000007
【図６】
2006127639.tif 000008
【図７】
2006127639.tif 000009
【図８】
2006127639.tif 000010
【図９】
2006127639.tif 000011